(57)【要約】【課題】バランスウェイト調整の精度が高く且つ生産性に優れたゴルフクラブ製造方法の提供。【解決手段】本発明に係るゴルフクラブ製造方法は、バランスウェイト選択工程と、組立工程とを含む。このバランスウェイト選択工程は、バランス測定装置によりウェイトを設けない場合におけるクラブバランスを測定する測定ステップと、上記バランス測定装置に接続されたコンピュータが、目標クラブバランスを得るための目標ウェイト重量を演算する演算ステップと、上記コンピュータが、この目標ウェイト重量に基づいて、ウェイト選択に関する情報を得る情報取得ステップと、上記コンピュータが、このウェイト選択に関する情報を表示装置に表示させる表示ステップとを含む。表示ステップでは、例えば使用されるべきバランスウェイトがランプで表示される。【選択図】図１
2008093063.tif 000002
【特許請求の範囲】
【請求項１】
バランスウェイト選択工程と、組立工程とを含み、
このバランスウェイト選択工程は、
ゴルフクラブヘッド、シャフト及びグリップをバランス測定装置に配置して、ウェイトを設けない場合におけるクラブバランスを測定する測定ステップと、
上記バランス測定装置に接続されたコンピュータが、この測定されたクラブバランスのデータと、クラブの種類ごとに設定された目標クラブバランスと、クラブの種類ごとに設定されたウェイト位置条件とから、目標クラブバランスを得るための目標ウェイト重量を演算する演算ステップと、
上記コンピュータが、この目標ウェイト重量に基づいて、ウェイト選択に関する情報を得る情報取得ステップと、
上記コンピュータが、このウェイト選択に関する情報を表示装置に表示させる表示ステップとを含むゴルフクラブ製造方法。
【請求項２】
上記情報取得ステップにおいて、上記コンピュータが、クラブの種類ごとに設定されたウェイト外形条件と上記目標ウェイト重量とに基づいて、ウェイト選択に関する情報を得て、
上記表示ステップにおいて、上記表示装置により、最適なウェイトが表示される請求項１に記載のゴルフクラブ製造方法。
【請求項３】
上記バランスウェイト選択工程が、同一品種のゴルフクラブセットに属する隣接した番手のゴルフクラブについて連続的になされる請求項１又は２に記載のゴルフクラブ製造方法。  
【発明の詳細な説明】
【技術分野】
【０００１】
本発明は、ゴルフクラブの製造方法に関する。
【背景技術】
【０００２】
ゴルフクラブの市場において、クラブバランスは、ゴルフクラブの性能として重要視されている。クラブバランスは、ゴルフショップなどで手軽に測定が可能であり、市場において広く受け入れられている。
【０００３】
クラブバランスは、スイングウェート、ヘッドバランス又はスイングバランスとも称されることがある。クラブバランスは、ゴルフクラブのグリップ後端から距離Ｔの位置を支点Ｐとしたとき、この支点Ｐからゴルフクラブの重心点までの距離Ｌとゴルフクラブの総重量Ｗとの積（Ｌ×Ｗ）をもとにして得られる指標である。スイングバランスとしては、１４インチ方式のスイングバランスと、１２インチ方式のスイングバランスとが知られている。１４インチ方式の場合、上記距離Ｔが１４インチである。１２インチ方式の場合、上記距離Ｔが１２インチである。汎用されているのは、１４インチ方式のスイングバランスである。１４インチ方式の場合、クラブバランスは、例えば上記積（Ｌ×Ｗ）が２１３．５（インチ・オンス）となったときにＤ０（Ｄ０．０）とされ、積（Ｌ×Ｗ）が１９６．０となったときにＣ０（Ｃ０．０）とされる。積（Ｌ×Ｗ）の値に従い、クラブバランスは、Ｃ０、Ｃ１、Ｃ２、・・・、Ｃ９、Ｄ０、Ｄ１、Ｄ２、・・・、Ｄ９、Ｅ０・・・などと標記される。
【０００４】
一般に、クラブバランスは、クラブを振ったときに感じる重さ又は振りやすさを示す指標と理解されている。クラブバランスは、打球の方向性にも影響しうる。また、ヘッド重量やシャフト重量などによりクラブバランスは変化するから、クラブバランスは、製品の均質性を示す指標とも理解されている。特に上級者にとって、クラブバランスは、ゴルフクラブを選択する際の重要な要素とされている。ゴルフクラブが販売される際には、通常、クラブバランスが表示されている。多くのゴルファーは、クラブバランスを確認した上で、ゴルフクラブを購入する。
【０００５】
通常、ゴルフクラブの品種ごとに、クラブバランスの設計値が設定される。ゴルフクラブの製造工程において、クラブバランスは、設計された値に調整される。クラブバランスが設計値となるように、ヘッドの重量等が設計される。しかし、ゴルフクラブの部品であるシャフト、ヘッド、グリップ等は、それぞれ重量や重心位置にばらつきがある。このばらつきに起因して、クラブバランスは変動しうる。クラブバランスを設計値の範囲内に調整するため、通常、バランスウェイトが用いられる。バランスウェイトによる調整を可能とするため、ヘッド重量は、設定されたクラブバランスに対して軽めに設定される。ゴルフクラブの組立の際に、バランスウェイトを用いて、クラブバランスが調整される。この調整により、ヘッド重量等のばらつきが吸収され、クラブバランスが設計値の範囲内とされる。
【０００６】
実用新案登録第３０１８１３０号公報に記載されているように、バランスウェイトは、ヘッドのホーゼル底面とシャフトとの間に配置される。クラブバランスの調整には、バランス測定装置が用いられる。バランス測定装置としては、例えば特開平１１−９９２３１号公報に記載された装置が知られている。
【特許文献１】実用新案登録第３０１８１３０号公報
【特許文献２】特開平１１−９９２３１号公報
【発明の開示】
【発明が解決しようとする課題】
【０００７】
特開平１１−９９２３１号に記載されている測定器では、測定者が、分銅をスライド移動させて微調整し、且つ肉眼で目盛りを読む。この測定器を用いたバランス調整は、手間と時間とを要し、生産性が低い。生産性の向上を目的として、クラブバランスの測定値（例えば、Ｃ９．１等の測定値）がデジタル表示されるバランス測定装置を用いることが考えられる。しかしこの場合も、バランス調整に要する手間と時間とはほとんど軽減されない。なぜならこの場合、バランス測定値は即時に表示されるものの、適正なバランスウェイトの選択は、（１）測定者が経験的に選択したり、（２）測定者が換算表を用いて選択したりする必要があるからである。（１）の場合、バランス測定を繰り返さなければ正確なバランス調整ができず、生産性が悪い。（２）の場合、換算表の確認に時間を要し、生産性が悪い。
【０００８】
本発明の目的は、生産性及びバランス調整の精度を高めうるゴルフクラブ製造方法の提供にある。
【課題を解決するための手段】
【０００９】
本発明に係るゴルフクラブ製造方法は、バランスウェイト選択工程と、組立工程とを含む。このバランスウェイト選択工程は、
（１）ゴルフクラブヘッド、シャフト及びグリップをバランス測定装置に配置して、ウェイトを設けない場合におけるクラブバランスを測定する測定ステップ、
（２）上記バランス測定装置に接続されたコンピュータが、この測定されたクラブバランスのデータと、クラブの種類ごとに設定された目標クラブバランスと、クラブの種類ごとに設定されたウェイト位置条件とから、目標クラブバランスを得るための目標ウェイト重量を演算する演算ステップ、
（３）上記コンピュータが、この目標ウェイト重量に基づいて、ウェイト選択に関する情報を得る情報取得ステップ、
及び
（４）上記コンピュータが、このウェイト選択に関する情報を表示装置に表示させる表示ステップを含む。
【００１０】
好ましくは、上記情報取得ステップにおいて、上記コンピュータが、クラブの種類ごとに設定されたウェイト外形条件と上記目標ウェイト重量とに基づいて、ウェイト選択に関する情報を得る。好ましくは、上記表示ステップにおいて、上記表示装置により、最適なウェイトが表示される。
【００１１】
好ましくは、上記バランスウェイト選択工程が、同一品種のゴルフクラブセットに属する隣接した番手のゴルフクラブについて連続的になされる。
【発明の効果】
【００１２】
ゴルフクラブの生産性が高くなり、且つバランス調整の精度を高められうる。
【発明を実施するための最良の形態】
【００１３】
以下、適宜図面が参照されつつ、好ましい実施形態に基づいて本発明が詳細に説明される。
【００１４】
本発明のゴルフクラブ製造方法は、バランスウェイト選択工程と、組立工程とを含む。組立工程では、バランスウェイト選択工程にて選択されたバランスウェイトと、ヘッドと、シャフトと、グリップとがアセンブルされる。組立工程では、バランスウェイト選択工程で測定されたヘッド、シャフト、グリップ及びバランスウェイトの組合せが維持される。組立工程は、バランスウェイト選択工程の後になされる。
【００１５】
本実施形態に係るゴルフクラブの製造方法においては、バランスウェイト選択工程に先立ち、部品調整工程がなされる。部品調整工程は、ヘッド、シャフト、グリップ等を微調整し、クラブ組立が可能な状態とする工程である。部品調整工程は、ヘッド調整工程、シャフト調整工程、グリップ調整工程等に大別される。
【００１６】
シャフト調整工程では、シャフトカット、先端バフ及びフェラル打ち込み等が行われる。シャフトカットは、素シャフトの先端及び後端を所定の長さだけカットする工程である。なお素シャフトとは、シャフトカット前のシャフトである。シャフトカットにより、シャフトの長さが、クラブに装着される際の長さに調整される。
【００１７】
先端バフは、シャフトカット後に行われる。先端バフは、ヘッドとの接着部分をバフし、シャフト表面の塗装を削り取ると同時に、シャフト表面を粗く加工する工程である。先端バフにより、ヘッドとシャフトとの接着強度が高まる。
【００１８】
フェラル打ち込みは、シャフトにフェラルを装着する工程である。装着されたフェラルの位置により、シャフト穴へのシャフトの挿入長さが決定される。
【００１９】
ヘッド、シャフト及びグリップは、部品調整工程を終えた後、バランスウェイト選択工程に供される。
【００２０】
図１は、本発明の一実施形態に係るバランスウェイト選択工程の実施形態を示す斜視図である。
【００２１】
図１が示すように、バランスウェイト選択工程では、バランス測定装置２、コンピュータ１６、入力装置２０、表示装置１８等を備えた装置が用いられる。バランス測定装置２は、クラブバランスを自動的に測定しうる装置である。表示装置１８は、複数のランプ１９により構成されている。ランプ１９として、例えばＬＥＤが採用されうる。表示装置１８の近傍には、各ランプ１９に対応した位置には、容器２１が設けられている。容器２１は複数に仕切られている。図示されていないが、各仕切り部２３ごとに種類の異なるバランスウェイトが入れられている。各ランプ１９と、各仕切り部２３とは、一対一で対応している。どのランプ１９が点灯するかにより、バランスウェイトが特定されうる。
【００２２】
バランス測定装置２は、載置部１０と、表示部１２とを有する。更に、図示されないが、バランス測定装置２は、演算部、制御部及び出力部とを有する。典型的には、バランス測定装置２の演算部、制御部及び出力部は、バランス測定装置２の内部に設けられたマイクロコンピュータである。
【００２３】
図２は、バランスウェイト選択工程で用いられる装置を示す図である。コンピュータ１６に、表示装置１８、表示装置３２、入力装置２０及びバランス測定装置２が接続されている。本実施形態のコンピュータ１６は、シーケンサとも称される。シーケンサは、入出力部を介して各種装置を制御するものであり、プログラマブルな命令を記憶するためのメモリを内蔵した電子装置である。
【００２４】
図３は、バランスウェイト２５の一例を示す斜視図である。バランスウェイト２５は、小径部２７と大径部２９とを有する。小径部２７及び大径部２９は、いずれも円柱状である。小径部２７と大径部２９とは、同軸で配置されている。大径部２９の外径ｄ１は、小径部２７の外径ｄ２よりも大きい。バランスウェイト２５の中心には、軸線に沿って空気穴３１が設けられている。
【００２５】
図４は、完成済みのゴルフクラブ１におけるバランスウェイト２５の装着状態を示す断面図である。小径部２７はシャフト６の内部に挿入される。大径部２９は、シャフト６の外側に配置される。小径部２７と大径部２９との境界に位置する段差面３１が、シャフト６の先端の端面と当接する。
【００２６】
図２が示すようにコンピュータ１６は、入力インターフェース２２、出力インターフェース２４、記憶部２６、制御部２８及び演算部３０を有する。バランス測定装置２及び入力装置２０は、入力インターフェース２２に接続されている。表示装置１８は、出力インターフェース２４に接続されている。典型的な記憶部２６は、メモリである。典型的な制御部２８は、ＣＰＵである。典型的な演算部３０は、ＣＰＵである。なお、図２は、本発明で用いられる装置の一例にすぎず、他の構成も可能である。例えば、入力装置２０又は表示装置１８の内部に、コンピュータ１６が組み込まれていてもよい。また、コンピュータ１６を構成する記憶部２６、制御部２８又は演算部３０が、表示装置１８又は入力装置２０に組み込まれていてもよい。
【００２７】
記憶部２６には、クラブの種類ごとの設定データと所定のコードとが一対一で対応した対応表が予め記憶されている。このコードとして、クラブの品種名及び番手、任意の数字、任意の文字、図形記号及びそれらの組み合わせ等が適宜採用されうる。クラブの種類ごとの設定データ（以下、単に設定データともいう）を区別できる限りにおいて、コードの仕様は特に限定されない。
【００２８】
なお、クラブの種類は、基本的にはクラブの品種や番手等により定まる。ただし、クラブの品種や番手が異なっていても、目標クラブバランス又はウェイト位置条件が共通化できる場合がある。このように共通化できる場合、クラブの品種や番手等が異なっているクラブを、同一のクラブ種類とすることができる。
【００２９】
クラブバランスを測定する際には、先ず、入力装置２０から、コードが入力される（入力ステップ）。入力装置２０は、タッチパネルとされている。入力装置２０は、表示装置３２を兼ねている。表示装置３２は、ディスプレイである。入力装置２０は、例えばキーボードでもよい。入力装置２０には、記憶部２６に記憶されている全てのコードが表示されうる。測定者は、測定対象であるクラブの種類に対応したコードの表示に触れ、コードを入力する。コードが入力されると、制御部２８が、記憶部２６を検索し、入力されたコードに対応する設定データを読み出す。制御部２８は、読み出された設定データを、演算部３０に提供する。
【００３０】
次に、測定者は、ヘッド４、シャフト６及びグリップ８を、バランス測定装置２の載置部１０上に置く（測定ステップ）。シャフト６の位置及び軸方向は、バランス測定装置２において指定された方向とする。ヘッド４は、シャフト６の先端部に差し込まれた状態で載置部１０上に配置される。ヘッド４のネック端面は、フェラル１４に当接した状態とされる。グリップ８は、シャフト６と同じ軸方向で置かれる。シャフト６とグリップ８とのシャフト軸方向における位置関係は、組立後のゴルフクラブと同じとされる。このように、載置部１０上において、ヘッド４、シャフト６及びグリップ８のシャフト軸方向における重心位置が、組立後のゴルフクラブと同様となるように配置される。この配置により、ウェイトを設けない場合におけるクラブバランスが測定される。
【００３１】
バランス測定装置２の演算部は、クラブバランスを算出する。算出は、公知のクラブバランス算出式によりなされる。算出されたクラブバランスが、表示部１２に表示される。表示は、例えば「Ｃ９．１」のように、小数点以下１桁までなされる。また、表示部１２には、載置部１０に載置された部材の合計重量も表示される。
【００３２】
バランス測定装置２の制御部は、クラブバランスの測定データを、コンピュータ１６に出力する。この測定データは、クラブバランス自体（例えばＣ９．１等）であってもよいし、上記インチオンスの値であってもよいし、クラブバランスに換算されうる他の値であってもよい。
【００３３】
前述したように、測定者が入力したコードに基づき、設定データが演算部３０に提供される。よって、シャフト６等のクラブ部品が載置部１０に載置された時点では、載置されたクラブ部品に対応した設定データが、演算部３０に読み込まれている。演算ステップでは、演算部３０が、この設定データと、上記測定データとを用いて、目標ウェイト重量を演算する。この演算は、前述したクラブバランスの定義から容易に算出されうる。
【００３４】
演算ステップで用いられる設定データは、目標クラブバランス及びウェイト位置条件である。
【００３５】
例えば、設計クラブバランスがＤ０である場合、目標クラブバランスは、Ｃ９．５以上Ｄ０．４の範囲で設定することができる。バランス精度を向上させる観点から、好ましくは、目標クラブバランスは、設計クラブバランスに対して−０．２ポイント以上＋０．２ポイント以下の範囲に設定される。即ち、設計クラブバランスがＤ０である場合、目標クラブバランスは、Ｃ９．８以上Ｄ０．２の範囲で設定されるのが好ましい。なお、目標クラブバランスは、クラブバランスの値（Ｃ９．１等）であってもよいし、クラブバランスに換算されうる値（上記インチオンスの値等）であってもよい。
【００３６】
ウェイト位置条件は、ゴルフクラブにおけるグリップ後端からバランスウェイトまでの距離に関する条件である。ウェイト位置条件が参照されることにより、目標ウェイト重量が計算されうる。ウェイト位置条件としては、例えば以下の（条件１）から（条件６）が用いられうる。
（条件１）シャフト６の全長
（条件２）シャフト６の全長と、グリップ８のグリップエンド厚みとを加えた長さ
（条件３）シャフト６の全長に、所定の値αを加減した長さ
（条件４）ゴルフクラブの長さ
（条件５）ゴルフクラブの長さから、所定の値βを減じた長さ
（条件６）上記（条件１）から（条件５）と相関する数値
実際に組み立てられたゴルフクラブにおいて、グリップ後端からバランスウェイトまでの距離は、基本的には（条件２）である。しかしながら、近似的に、上記（条件１）及び（条件３）から（条件５）も用いられうる。また、大径部２９又は小径部２７の軸方向長さに起因して、バランスウェイトの重心位置が、シャフト６の先端からズレることもある。このズレを考慮して、（条件３）が設定されてもよい。更に、上記（条件１）から（条件５）と相関する値として、上記（条件６）が用いられてもよい。また、ウェイト位置条件には、フェラル打ち込み長Ｄ（図４参照）が考慮されてもよい。例えば、ヘッドのホーゼル長Ｈからフェラル打ち込み長Ｄを引いた値が、上記所定の値βとされうる。このホーゼル長Ｈは、例えば、シャフト軸線ｚとヘッド外面との交点Ｐから、ネック端面３６までのシャフト軸方向長さとされうる（図４参照）。
【００３７】
なお、グリップエンドの厚みとは、完成したゴルフクラブにおける、シャフトの後端からグリップ後端までのシャフト軸方向距離である。このグリップエンド厚みは、通常３ｍｍから６ｍｍ程度である。
【００３８】
次に、コンピュータ１６が、この目標ウェイト重量に基づいて、ウェイト選択に関する情報を得る（情報取得ステップ）。ウェイト選択に関する情報とは、複数種類のウェイトの中から、使用されるべきウェイトを決定するのに寄与する情報である。
【００３９】
ウェイト選択に関する情報としては、以下の（情報１）から（情報３）が例示される。
（情報１）目標ウェイト重量
（情報２）使用されるべきウェイトの種類を指定する情報
（情報３）使用されるべきウェイトを視覚的に指定する情報
【００４０】
（情報２）としては、例えばウェイトの品番等が挙げられる。（情報３）としては、例えば使用されるべきウェイトを示すランプ等が挙げられる。
【００４１】
（情報１）の場合、例えば、制御部２８が、演算部３０により計算された目標ウェイト重量を得る。
【００４２】
（情報２）の場合、例えば、制御部２８が、演算部３０により計算された目標ウェイト重量と、後述されるウェイト外形条件とから、使用されるべきウェイトの品番を得る。
【００４３】
（情報３）の場合、例えば、演算部３０により計算された目標ウェイト重量と、後述されるウェイト外形条件とから、制御部２８が、使用されるべきウェイトを視覚的に指定する情報を得る。（情報３）の一例として、例えば後述されるウェイト区別情報が挙げられる。
【００４４】
ウェイト外形条件として、具体的には、大径部２９の外径ｄ１及び／又は小径部２７の外径ｄ２が挙げられる。その他、大径部２９の軸方向長さや、小径部２７の軸方向長さ等も、ウェイト外形条件となりうる。ウェイト外形条件として特に重要なのは、大径部２９の外径ｄ１及び小径部２７の外径ｄ２である。バランスウェイトがゴルフクラブに装着されうるためには、少なくとも次の（条件Ａ）及び（条件Ｂ）を満たす必要がある。
（条件Ａ）ホーゼル穴径ｈ１（図４参照）が、大径部２９の外径ｄ１よりも大きい。
（条件Ｂ）先端部のシャフト内径Ｓ１（図４参照）が、小径部２７の外径ｄ２よりも大きい。
【００４５】
（条件Ａ）は、バランスウェイト２５がホーゼル穴内に装着されることを可能とする。（条件Ｂ）は、小径部２７がシャフト内に挿入されることを可能とする。
【００４６】
さらに、バランスウェイトが管状シャフトの内部に入り込まないようにするためには、次の条件Ｃも必要である。
（条件Ｃ）大径部２９の外径ｄ１が、先端部のシャフト内径Ｓ１よりも大きい。
【００４７】
例えば（条件Ｂ）を満たす場合であっても、外径ｄ２が内径ｓ１よりも過度に小さい場合、バランスウェイト２５の体積が小さくなって重量調整の自由度が低下したり、打球時の衝撃でバランスウェイト２５が外れやすくなったりするおそれがある。この観点から、内径ｓ１と外形ｄ２との差（ｓ１−ｄ２）の値は、０．５ｍｍ以下が好ましく、０．４ｍｍ以下がより好ましく、０．２ｍｍ以下が特に好ましい。また、差（ｓ１−ｄ２）が小さすぎると生産性が低下しやすくなる。この観点から、差（ｓ１−ｄ２）は、０．０３ｍｍ以上が好ましく、０．０５ｍｍ以上がより好ましく、０．０８ｍｍ以上が特に好ましい。
【００４８】
シャフト内径Ｓ１は、シャフトの種類によって異なる。ホーゼル穴径ｈ１は、ヘッドの種類によって異なる。よって、ウェイト外形条件は、バランスウェイトを選択する上で重要である。したがって、情報取得ステップにおいては、ウェイト外形条件が参照されるのが好ましい。
【００４９】
ウェイト外形条件を参照する場合には、上記設定データに、ウェイト外形条件を加えておく。即ち、設定データとして、予め記憶部２６にウェイト外形条件を記憶させておく。また、ウェイト外形条件を参照する場合には、予め記憶部２６に、各バランスウェイト種類ごとの外形情報を記憶させておく。上記入力ステップがなされると、設定データとしてのウェイト外形条件が読み出される。情報取得ステップにおいて、制御部２８は、読み出されたウェイト外形条件と、記憶部２６に記憶された各ウェイト種類の外形情報とを対比して、装着されうるバランスウェイトを絞り込む。
【００５０】
次に、コンピュータ１６が、このウェイト選択に関する情報を表示装置１８に表示させる（表示ステップ）。上記（情報１）の場合、例えば、制御部２８が、目標ウェイト重量を表示装置３２に表示させる。上記（情報２）の場合、例えば、制御部２８が、使用されるべきウェイトの品番を表示装置３２に表示させる。上記（情報３）の場合、例えば、制御部２８が、使用されるべきウェイトを示す表示装置１８（ランプ）を点灯させる。
【００５１】
表示装置によるウェイトの指定を行う場合、記憶部２６には、予めウェイト区別情報を記憶させておく。表示装置１８（ランプ）によるウェイトの指定を行う場合、記憶部２６には、予めランプ１９の数に対応したウェイト区別情報を記憶させておく。例えば、ランプ１９の数がＮ個である場合、Ｎ種類のウェイト区別情報を記憶させておく。ウェイト区別情報は、目標ウェイト重量とウェイト外形条件との組み合わせにより構成される。図１の実施形態では、ランプ１９の数が８個であるから、例えば８種類のウェイト区別情報を記憶させておく。各ランプ１９に対応した仕切り部２３には、８種類のウェイト区別情報に対応した８種類のバランスウェイトが配置される。制御部２８は、算出された目標ウェイト重量とウェイト外形条件とに基づき、予め記憶されたウェイト区別情報の中から、最適なウェイト区別情報を選択する。そして、制御部２８は、最適なウェイト区別情報に対応したランプ１９を点灯させる。
【００５２】
表示ステップでは、上記（情報１）、（情報２）又は（情報３）のいずれかが表示されるのが好ましい。生産性の向上やウェイト選択ミスを防止する観点から、より好ましくは、（情報３）が表示されるのが好ましく、（情報１）又は（情報２）と（情報３）とが表示されるのがより好ましい。ウェイト選択に関する情報が上記（情報２）又は（情報３）を含む場合、情報取得ステップにおいて、ウェイト外形条件が参照されるのが好ましい。
【００５３】
バランスウェイト選択工程が、同一のクラブ種類のゴルフクラブについて連続的になされる場合、上記入力ステップを省略することが可能である。図５は、入力ステップが省略されうるバランスウェイト選択工程のフローチャートを示す。このフローチャートを実行するためのプログラムが、記憶部２６に記憶されている。
【００５４】
このバランスウェイト選択工程では、先ず、コードが入力される（入力ステップｓ１）。次に、前述の通り、入力されたコードに対応した設定データが読み出される（ステップｓ２）。次に、バランス測定装置２にヘッド４、シャフト６及びグリップ８が配置される（測定ステップｓ３）。次に、前述の通り、演算部３０が目標ウェイト重量を演算する（演算ステップｓ４）。次に、前述の通り、制御部２８がウェイト選択に関する情報を取得する（情報取得ステップｓ５）。次に、前述の通り、制御部２８が、ウェイト選択に関する情報を表示装置に表示させる（表示ステップｓ６）。次に、バランス測定装置２から、ヘッド４、シャフト６及びグリップ８が除去される（ステップｓ７）。制御部２８は、バランス測定装置２からヘッド４等が除去されたことを認識する。この認識は、例えば重量データによりなされる。バランス測定装置２は、載置部１０上の重量データを制御部２８に出力する。一定重量以下となった重量データにより、制御部２８は、バランス測定装置２からヘッド４等が取り除かれたことを認識する。
【００５５】
次に、新たにコードが入力されたか否かが判断される（ステップｓ８）。新たにコードが入力されない場合、ステップｓ２で読み出された設定データが維持された状態で、測定ステップｓ３へと移行する。この移行により、同一のクラブ種類のゴルフクラブについて連続的になされる場合、上記入力ステップが省略される。新たにコードが入力された場合には、ステップｓ２へと移行し、新たに入力されたコードに対応した設定データが読み出され、設定データが更新される。測定されるクラブ種類が変更される場合には、ステップｓ８において新たなコードが入力される。
【００５６】
図５の実施形態では、ステップｓ７（ヘッド４、シャフト６及びグリップ８の除去）により自動的にステップｓ３へと移行する。よって、２本目の測定以降は、入力ステップが省略される。他の実施形態として、ステップｓ７の後、ステップｓ３へ移行させるための操作ステップ（図示されない）が設定されてもよい。この操作ステップとしては、例えば「次へ」などと示されたボタンを押すことによりステップｓ３へ移行する態様が採用されうる。
【００５７】
なお、図５のフローチャートでは、エンド（フローチャートの終了）が無いが、例えばコンピュータ１６の電源を切ることにより、エンドとなりうる。
【００５８】
本発明は、ゴルフクラブセットにも適用されうる。
【００５９】
ゴルフクラブセットは、番手が異なる２本以上のゴルフクラブから構成される。典型的なゴルフクラブセットは、ウッド型ゴルフクラブセット（ウッドセット）又はアイアン型ゴルフクラブセット（アイアンセット）である。ウッドセットとしては、例えばＷ＃１（ドライバー）とＷ＃３（スプーン）とからなる２本セット、Ｗ＃１、Ｗ＃３及びＷ＃５からなる３本セット、Ｗ＃１、Ｗ＃３、Ｗ＃５及びＷ＃７からなる４本セット、Ｗ＃３、Ｗ＃５及びＷ＃７からなる３本セット等がある。アイアンセットとしては、例えばＩ＃５（５番アイアン）、Ｉ＃６、・・・、Ｉ＃９及びＰＷ（ピッチングウエッジ）からなる６本セット、Ｉ＃５、Ｉ＃６、・・・、Ｉ＃９、ＰＷ、ＡＷ（アプローチウエッジ）からなる７本セット、Ｉ＃３及びＩ＃４からなる２本セット等がある。ゴルフクラブセットの本数は特に限定されず、２本以上であればよい。
【００６０】
好ましくは、上記バランスウェイト選択工程が、同一品種のゴルフクラブセットに属する隣接した番手のゴルフクラブについて連続的になされる。例えば＃３から＃６までのゴルフクラブセットの場合、［ ＃３→＃４→＃５→＃６］の順番でバランスウェイト選択工程がなされる。つまり、セット単位でバランスウェイト選択工程がなされる。複数のゴルフクラブセットについてバランスウェイト選択工程がなされる場合、セット単位のバランスウェイト選択工程が繰り返される。１セットのバランスウェイト選択工程が終了した後、２セット目のバランスウェイト選択工程がなされる。つまり、次の手順Ａによりバランスウェイト選択工程がなされる。
（手順Ａ）［ ＃３→＃４→＃５→＃６］→［ ＃３→＃４→＃５→＃６］→［ ＃３→＃４→＃５→＃６］→・・・
【００６１】
ゴルフクラブセットに関し、上記バランスウェイト選択工程が、番手ごとに連続的になされてもよい。即ち、下記の手順Ｂによりバランスウェイト選択工程がなされてもよい。
（手順Ｂ）［ ＃３→＃３→＃３→＃３→・・・］→［ ＃４→＃４→＃４→＃４→・・・］→［＃５→＃５→＃５→＃５→・・・］→［ ＃６→＃６→＃６→＃６→・・・］
【００６２】
ゴルフクラブセットにおいては、異なる番手間では部品が異なる。即ち、異なる番手間においては、少なくともヘッド種類及びシャフト長さが異なる。ゴルフクラブセットは、最終的にはセット単位で製造及び出荷される。よって、上記（手順Ｂ）の場合、部品の中間在庫や完成したゴルフクラブの中間在庫が多くなり、製造コストが増大する。よって、上記（手順Ａ）が好ましい。
【００６３】
上記手順Ａの場合に、次の番手に移行するための入力ステップが省略されうる。以下において、最低番手が５番アイアン（Ｉ＃５）であり、最高番手がピッチングウエッジ（ＰＷ）である合計６本のゴルフクラブセットを例として説明する。
【００６４】
図６は、次の番手へ移行するための入力ステップが省略されうるバランスウェイト選択工程のフローチャートを示す。このバランスウェイト選択工程では、先ず、コードが入力される（入力ステップｓ９）。このコードは、ゴルフクラブセットごとに設定されたセットコードである。１つのセットコードは、１種類のゴルフクラブセットと対応している。次に、入力されたセットコードに属するゴルフクラブの中で最も低い番手（５番アイアン）の設定データが読み出される（ステップｓ１０）。次に、バランス測定装置２にヘッド４、シャフト６及びグリップ８が配置される（ステップｓ１１）。次に、前述の通り、演算部３０が目標ウェイト重量を演算する（演算ステップｓ１２）。次に、前述の通り、制御部２８がウェイト選択に関する情報を取得する（情報取得ステップｓ１３）。次に、前述の通り、制御部２８が、ウェイト選択に関する情報を表示装置に表示させる（表示ステップｓ１４）。次に、バランス測定装置から、ヘッド４、シャフト６及びグリップ８が取り除かれる（ステップｓ１５）。次に、次番手があるか否かが判断される（ステップｓ１６）。本例では、Ｉ＃５の次の番手は、Ｉ＃６である。Ｉ＃６の次の番手は、Ｉ＃７である。Ｉ＃９の次の番手は、ＰＷである。本例では、ＰＷが最高番手である。本例では、ＰＷの次の番手は無い。
【００６５】
ステップｓ１６において、「次番手がある」と判断された場合、その次番手の設定データが読み出され、設定データが次番手のものに更新される（ステップｓ１７）。次に、ステップｓ１１へと移行する。ステップｓ１６において「次番手が無い」と判断された場合、ステップｓ１０へ移行し、最も番手の低い設定データ（本例では、５番アイアンの設定データ）が読み出される。よって、新たなゴルフクラブセットのバランスウェイト選択工程を開始することができる。
【００６６】
図６の実施形態では、ステップｓ１５（ヘッド４、シャフト６及びグリップ８の除去）により自動的にステップｓ１６へと移行する。２セット目以降の測定では、入力ステップが省略される。他の実施形態として、ステップｓ１５の後、「次番手の設定データ読み出し」に移行させるための操作ステップ（図示されない）が、ステップｓ１６の代わりに設定されてもよい。この操作ステップとしては、例えば「次の番手へ」などと示されたボタンを押すことによりステップｓ１７へ移行する態様が採用されうる。
【００６７】
バランス調整の精度を向上させる観点から、用意されるバランスウェイト間の重量刻みは、２．０ｇ以下が好ましく、１．５ｇ以下がより好ましく、１ｇ以下が更に好ましく、０．８ｇ以下が特に好ましい。重量刻みが小さくなりすぎると、バランスウェイトの種類が過大となり、バランスウェイト置き場が多くのスペースを占有し、さらにはバランスウェイト置き場にスペースを占有されて作業がしづらくなるおそれがある。この観点から、重量刻みは０．１ｇ以上が好ましく、０．３ｇ以上がより好ましく、０．５ｇ以上が特に好ましい。よって、重量刻みの最適範囲は０．５ｇ以上０．８ｇ以下である。「重量刻みが０．５ｇ以上０．８ｇ以下」とは、以下のようなケース１〜３を含む。
（ケース１）用意されたバランスウェイトの重量が、軽い順に、１０．０ｇ、１０．５ｇ、１１．５ｇ、１２．０ｇ、・・・である。即ち、重量刻みが０．５ｇで一定である。
（ケース２）用意されたバランスウェイトの重量が、軽い順に、１０．０ｇ、１０．８ｇ、１１．６ｇ、１２．４ｇ、・・・である。即ち、重量刻みが０．８ｇで一定である。
（ケース３）用意されたバランスウェイトの重量が、軽い順に、１０．０ｇ、１０．５ｇ、１１．３ｇ、１２．１ｇ、１２、７ｇ・・・である。即ち、重量刻みが０．５ｇ以上０．８ｇ以下の範囲で変動する。
【００６８】
図４においてＡで示されるのは、大径部２９の端面とシャフト穴の底面３４とのシャフト軸方向距離である。図４においてＢで示されるのは、小径部２７の端面のホーゼル端面３６とのシャフト軸方向距離である。図４においてＣで示されるのは、シャフト穴の深さである。シャフト穴の深さＣが小さすぎると、ヘッド４とシャフト６との接着面積が小さくなり、固定強度が小さくなる。シャフト穴の深さＣが大きすぎると、ヘッド重心が高くなる。これらの観点から、通常、シャフト穴の深さＣは、２５ｍｍ以上４０ｍｍ以下に設定される。打球時におけるシャフトへの応力集中を分散する観点から、距離Ｂは１ｍｍ以上が好ましく、２ｍｍ以上がより好ましく、３ｍｍ以上が特に好ましい。シャフト穴の深さＣが過度に大きくなることを抑制しヘッド重心の設計自由度を高める観点から、距離Ｂは１０ｍｍ以下が好ましく、５ｍｍ以下がより好ましく、３ｍｍ以下が特に好ましい。バランスウェイトの寸法許容度を高め、バランスウェイトによる重量調整を容易とする観点から、距離Ａは０．５ｍｍ以上が好ましく、１．０ｍｍ以上がより好ましい。シャフト穴深さＣを抑制し、ヘッド重心の設計自由度を高める観点から、距離Ａは１０ｍｍ以下が好ましく、５ｍｍ以下がより好ましい。
【００６９】
［実施例］
１００本のゴルフクラブについて、図１及び図２が示す装置を用いてバランスウェイト選択工程を行った。コンピュータ１６のプログラムに従い、図５に示すフローチャートが実行され、同一種類のゴルフクラブ１００本が測定された。入力ステップｓ１におけるコードの入力は、１本目のゴルフクラブを測定するときにのみなされた。２本目から１００本目までは入力ステップｓ１が省略された。表示ステップｓ６では、使用されるべきバランスウェイトを示すランプ１９が点灯された。実施例の仕様と評価結果が、下記の表１で示される。
【００７０】
［比較例］
実施例と同じ種類のゴルフクラブ１００本について、前述したバランス測定装置２を用いてバランスウェイト選択工程を行った。バランス測定装置２の所定位置にヘッド、シャフト及びグリップを置くことにより、ウェイトを設けない場合におけるクラブバランスが自動的に測定され、表示部１２に表示された。測定者は、表示部１２に表示されたクラブバランスとバランス規格の設定値とを比較し、かつ、バランスの差を重量に換算する換算表を参照して、目標ウェイト重量を算出した。更に測定者は、算出された目標ウェイト重量に基づき、使用されるべきバランスウェイトを選択した。なお、バランスウェイト選択工程に先立ち、予め測定されるゴルフクラブに適合したウェイト外形条件を満たすバランスウェイトのみを選択しておいた。よって、ウェイト外形条件を考慮する必要が無い状況でバランスウェイト選択工程がなされた。比較例の仕様と評価結果が、下記の表１で示される。
【００７１】
【表１】
2008093063.tif 000003
【００７２】
なお、Ｃｐとは、いわゆる工程能力指数である。Ｃｐは、下記の式で求められる。ただし、σは工程データの標準偏差であり、Ｘは上限規格値であり、Ｙは下限規格値である。
Ｃｐ＝（Ｘ−Ｙ）／６σ
【００７３】
またＣｐｋは、下記の式で求められる。
Ｃｐｋ＝（１−Ｋ）Ｃｐ
ただし、Ｋは、［平均値−（Ｘ＋Ｙ）／２］の絶対値を、［（Ｘ＋Ｙ）／２］で割った値である。今回の実施例及び比較例では、Ｘを９．５ポイントとし、Ｙを８．５ポイントとした。なお、σ、平均値、Ｃｐ及びＣｐｋの計算に当たっては、バランスをポイント換算した数値を採用した。このポイント換算した数値は、Ｃバランスにおける数値とした。例えば、Ｃ９．５をポイント換算した数値は、９．５ポイントとした。Ｄ０．０をポイント換算した数値は、１０．０ポイントとした。
【００７４】
表１が示すように、実施例は比較例と比べて評価が高い。この結果から、本発明の優位性は明らかである。
【図面の簡単な説明】
【００７５】
【図１】図１は、本発明の一実施形態におけるバランスウェイト選択工程の様子を示す斜視図である。
【図２】図２は、図１に示す装置の構成を示す図である。
【図３】図３は、バランスウェイトの一例を示す図である。
【図４】図４は、バランスウェイトがゴルフクラブに装着された状態を示す断面図である。
【図５】図５は、本発明を実行するためのプログラムの一例を示すフローチャートである。
【図６】図６は、本発明を実行するためのプログラムの他の一例を示すフローチャートである。
【符号の説明】
【００７６】
２・・・バランス測定装置
４・・・ヘッド
６・・・シャフト
８・・・グリップ
１４・・・フェラル
１６・・・コンピュータ
１８・・・表示装置  
２０・・・入力装置
２５・・・バランスウェイト
２６・・・記憶部
２８・・・制御部
３０・・・演算部
【図１】
2008093063.tif 000004
【図２】
2008093063.tif 000005
【図３】
2008093063.tif 000006
【図４】
2008093063.tif 000007
【図５】
2008093063.tif 000008
【図６】
2008093063.tif 000009